(57)【要約】【課題】剤を回収して再吐出させることのできる容器において、部品点数を削減するとともに、再吐出性を向上すること。【解決手段】外容器１０の中に内容器２０を納め、外容器１０の剤Ａを吐出させる外ノズル３２の中に内容器２０の剤Ｂを吐出させる内ノズル３４を配置し、外ノズル３２の周囲に再吐出壁３８を配置した容器１であって、外ノズル３２を備えるノズル構成体３０に再吐出壁３８を一体成形し、再吐出壁３８を吐出方向に向けて拡開したもの。【選択図】　図１
2004035042.tif 000002
【特許請求の範囲】
【請求項１】
外容器の中に内容器を納め、外容器に装填してある剤を吐出させる外ノズルの中に内容器に装填してある剤を吐出させる内ノズルを配置し、剤を回収して再吐出させる再吐出壁を外ノズルの周囲に配置した容器であって、
外ノズルを備えるノズル構成体に再吐出壁を一体成形し、該再吐出壁を吐出方向に向けて拡開した容器。
【請求項２】
前記ノズル構成体が内ノズルも備える請求項１に記載の容器。
【請求項３】
前記内容器がノズル構成体に結合される請求項１又は２に記載の容器。
【請求項４】
前記外容器と内容器に剤を収容してなる請求項１〜３のいずれかに記載の容器。
【発明の詳細な説明】
【０００１】
【発明の属する技術分野】
本発明は液体又は固体の剤を吐出する容器に関する。
【０００２】
【従来の技術】
２重容器として、外容器の中に内容器を納め、外容器に装填してある剤を吐出させる外ノズルの中に内容器に装填してある剤を吐出させる内ノズルを配置するものがある。従来の２重容器では、外ノズルや内ノズルの周辺に付着した残液や、計量キャップに残った残液を回収するための剤回収部を備えている。
【０００３】
ところが、従来技術では、容器の次回使用時に、容器を傾けると、剤回収部に溜まった回収液がその外縁から流れ落ち、周辺を汚損してしまう。
【０００４】
【発明が解決しようとする課題】
本出願人は、特願２００１−２１１３７３により、剤を回収するとともに、次回使用時にこの回収剤を周辺に垂れ流すことなく、外ノズルや内ノズルからの吐出剤とともに注ぎ出し可能とするために、外ノズルの周囲に、剤を回収して再吐出させる再吐出壁を配置したものを提案している。
【０００５】
しかしながら、特願２００１−２１１３７３のものは、外ノズルと内ノズルを備えるノズル構成体に対し、再吐出壁を別部品にしており、コスト高になる。また、再吐出壁が吐出方向に向けて垂直よりも内側に狭まるように設けられており、容器の傾け角を大きくしないと再吐出壁から残液を再吐出できない。
【０００６】
本発明の課題は、剤を回収して再吐出させることのできる容器において、部品点数を削減するとともに、再吐出性を向上することにある。
【０００７】
【課題を解決するための手段】
請求項１の発明は、外容器の中に内容器を納め、外容器に装填してある剤を吐出させる外ノズルの中に内容器に装填してある剤を吐出させる内ノズルを配置し、剤を回収して再吐出させる再吐出壁を外ノズルの周囲に配置した容器であって、外ノズルを備えるノズル構成体に再吐出壁を一体成形し、該再吐出壁を吐出方向に向けて拡開したものである。
【０００８】
【発明の実施の形態】
（第１実施形態）（図１）
容器１は、図１に示す如く、混ざると反応するような互いに性質の異なる２剤Ａ、Ｂを同時に吐出させる２剤吐出容器であり、外容器１０、内容器２０、ノズル構成体３０、計量キャップ５０の、それぞれ樹脂成形品である全４部品からなる。
【０００９】
容器１は、剤Ａを収容する外容器１０の中に、剤Ｂを収容する内容器２０を納め、外容器１０の剤Ａを吐出させる後述の外ノズル３２の中に、内容器２０の剤Ｂを吐出させる後述の内ノズル３４を配置する。
【００１０】
外容器１０は、容器本体部１０Ａと把手１０Ｂ（不図示）を有する。容器本体部１０Ａは、一端開口の有底状をなし、開口部の外周に打込み部１１を備える。
【００１１】
内容器２０は、容器本体部２０Ａを有する。容器本体部２０Ａは、一端開口の有底状をなし、開口部の外周に打込み部２１を備える。
【００１２】
ノズル構成体３０は、打込み筒部３０Ａ、外側筒部３０Ｂ、再吐出用筒部３０Ｃ、外ノズル筒部３０Ｄ、内ノズル筒部３０Ｅを有する。
【００１３】
ノズル構成体３０は、打込み筒部３０Ａに外容器１０の開口部の外周に設けた打込み部１１に打込み嵌合される結合部３１を備える。ノズル構成体３０は、打込み筒部３０Ａの内側に外側筒部３０Ｂを設け、打込み筒部３０Ａと外側筒部３０Ｂで外容器１０の開口部の内外面を挟み込み嵌合し、打込み筒部３０Ａと外側筒部３０Ｂを外容器１０の開口部に封着し、上述の結合部３１により外容器１０に結合される。
【００１４】
ノズル構成体３０は、外ノズル筒部３０Ｄの中に内ノズル筒部３０Ｅを設け、外ノズル筒部３０Ｄと内ノズル筒部３０Ｅの環状間隙を外容器１０に連通し、外ノズル筒部３０Ｄの先端に外ノズル３２を形成し、外ノズル３２に外容器１０の剤Ａを細粒化して吐出するラッパ状の外吐出口３２Ａを形成する。ノズル構成体３０は、外ノズル筒部３０Ｄと内ノズル筒部３０Ｅの環状間隙の周方向複数位置に、外ノズル筒部３０Ｄと内ノズル筒部３０Ｅをつなぐ整流スリット３２Ｂを設け、外容器１０から外吐出口３２Ａへ流れる剤Ａを整流化する。
【００１５】
ノズル構成体３０は、内ノズル筒部３０Ｅの基端部に設けた結合部３３に、内容器の容器本体部２０Ａの開口に設けた打込み部２１を封着状態で打込み嵌合し、内ノズル筒部３０Ｅの基端部に設けたシール部３３Ａを内容器２０の容器本体部２０Ａの開口に封着状態で嵌合する。ノズル構成体３０は、内ノズル筒部３０Ｅの先端に内ノズル３４を形成し、内ノズル３４は内容器２０の剤Ｂを細粒化して吐出するラッパ状の内吐出口３４Ａを形成する。内吐出口３４Ａは軸方向で外吐出口３２Ａより外方に突出する。ノズル構成体３０は、内ノズル３４の内周に十字状の整流スリット３４Ｂを備え、内容器２０の剤Ｂの流れを整流化する。
【００１６】
ノズル構成体３０は、外側筒部３０Ｂと外ノズル３０Ｄの間に再吐出用筒部３０Ｃを設ける。
【００１７】
ノズル構成体３０は、再吐出用筒部３０Ｃと外ノズル筒部３０Ｄの間の陥凹部を剤回収部３５とする。剤回収部３５は、外吐出口３２Ａや内吐出口３４Ａから液ダレした剤を回収する。
【００１８】
ノズル構成体３０は、計量キャップ５０や外吐出口３２Ａ、内吐出口３４Ａから垂れ落ちる剤を捕捉するための環状の剤捕捉凹部３６を再吐出用筒部３０Ｃの外周の下端部に備え、剤捕捉凹部３６をスリット状（又は孔状）の連通口３７により内周側の下方に形成してある前述の剤回収部３５に連通可能とする。剤捕捉凹部３６は、容器１の周方向で、外吐出口３２Ａ、内吐出口３４Ａを挟んで容器１の注ぎ出し方向側（外吐出口３２Ａ、内吐出口３４Ａの注ぎ出し方向側）とは反対側に向けて下り勾配となるように傾斜し、最下位部に連通口３７を開口する。尚、容器１は、反注ぎ出し方向側に外容器１０の把手１０Ｂを設け、この把手１０Ｂの位置により注ぎ出し方向を示すことができる。
【００１９】
ノズル構成体３０は、再吐出用筒部３０Ｃの筒状の再吐出壁３８を剤回収部３５から上方に立上げ、再吐出壁３８の内周により前述の剤回収部３５に回収された剤の排出経路を形成し、再吐出壁３８の先端を環状の再吐出口３８Ａとする。
【００２０】
ここで、再吐出用筒部３０Ｃに設けた再吐出壁３８は剤回収部３５から再吐出口３８へ向かう、剤の再吐出方向に向けて、垂直〜拡開、好ましくは拡開している。拡開とは、容器１を正立した状態で、再吐出壁３８の壁面が鉛直線に対し、容器１の中心軸から外周側へ連続的又は段階的に張り出る状態（拡径する状態）になることを言う。
【００２１】
ノズル構成体３０は、外側筒部３０Ｂの先端の外周に、計量キャップ５０を螺着するためのねじ部３９を備える。
【００２２】
計量キャップ５０は、有底筒状をなし、外周中間部にノズル構成体３０の外側筒部３０Ｂに封着する外周シール部５１を備えるとともに、ノズル構成体３０の外周筒部３０Ｂに設けたねじ部３９に螺着するねじ部５２を備える。計量キャップ５０は、天井裏側に、外ノズル３２の外吐出口３２Ａ、内ノズル３４の内吐出口３４Ａにそれぞれ封着するシール部５３、５４を備える。容器１を傾け、外容器１０の剤Ａと内容器２０の剤Ｂを、外ノズル３２の外吐出口３２Ａ、内ノズル３４の内吐出口３４Ａのそれぞれから同時に吐出し、計量キャップ５０にて混ぜ合わせて使用に供する。
【００２３】
尚、計量キャップ５０はノズル構成体３０に対し、ノズル構成体３０の再吐出用筒部３０Ｃの外周に設けたねじ部に螺着され、計量キャップ５０の外周先端部をノズル構成体３０の外側筒部３０Ｂの上端面に設けたフランジ部等に封着するものでも良い。
【００２４】
容器１は以下の如くに組立てられる。
（１）内容器２０とノズル構成体３０の組立体を作成する。ノズル構成体３０の内ノズル筒部３０Ｅの基端部の結合部３３に、内容器２０の打込み部２１を封着状態で打込み嵌合する。
【００２５】
（２）上述（１）の内容器２０に剤Ｂを充填する。
（３）上述（１）、（２）のノズル構成体３０のねじ部３９に計量キャップ５０を封着状態で螺着し、ノズル構成体３０の外吐出口３２Ａ、内吐出口３４Ａを封止する。
【００２６】
（４）外容器１０に剤Ａを充填する。
（５）外容器１０の開口部に上述（１）〜（３）のノズル構成体３０の打込み筒部３０Ａと外側筒部３０Ｂを封着し、打込み筒部３０Ａの結合部３１を外容器１０の打込み部１１に挟み込み嵌合を伴う状態で打込み嵌合する。
【００２７】
また、容器１は以下の如くに使用される。
（１）計量キャップ５０に残った前回計量時の残液は、計量キャップ５０からノズル構成体３０の外周側の剤捕捉凹部３６に捕捉され、連通口３７を通って剤回収部３５に回収される。容器１の次回使用時に、容器１を傾けると、剤回収部３５に溜まった回収剤は再吐出壁３８の内面を伝わって再吐出口３８Ａから吐出される。再吐出壁３８は立上り形成されているから、容器１の傾け角が０度〜５度の如くに浅くても、回収剤を周辺に垂れ流して汚すことなく目的部位に向けて、吐出口３２Ａ、３４Ａからの吐出剤Ａ、Ｂとともに注ぎ出せる。
【００２８】
（２）尚、ノズル構成体３０の再吐出用筒部３０Ｃの外周側から内周側に連通している連通口３７は、外ノズル３２と内ノズル３４を挟んで容器１の注ぎ出し方向と反対側に位置しており、容器１を注ぎ出し方向に傾けたとき、剤回収部３５に溜まった回収剤が上記連通口３７を通って再吐出壁３８の外面側に洩れ出ることがない。
【００２９】
（３）外容器１０と内容器２０のそれぞれの吐出口３２Ａ、３４Ａから性質の異なる剤Ａ、Ｂを一定の吐出量割合で同時に計量キャップ５０に吐出させ、両剤Ａ、Ｂを一定の混合割合で混合させることができる。そして、計量キャップ５０に残った残液は、上述（１）により剤回収部３５に回収され、外容器１０や内容器２０の中に回収されることがないから、外容器１０と内容器２０の内容剤Ａ、Ｂのそれぞれを汚損する虞がない。
【００３０】
尚、外容器１０の剤Ａと内容器２０の剤Ｂの組み合わせとしては、ＡとＢの一方を界面活性剤を含有するアルカリ剤、他方を酸素系漂白剤とし、それらの混合により漂白剤を構成するもの、ＡとＢの一方をビタミン、他方を香料とし、それらの混合により化粧水を構成するもの、ＡとＢの一方を水層（具材）、他方を油層とし、それらの混合により食品ドレッシングを構成するもの、ＡとＢの一方を原液、他方を水等の薄め液とし、それらの混合により食品又は非食品を構成するもの等を採用できる。
【００３１】
本実施形態によれば以下の作用がある。
（請求項１に対応する作用）
▲１▼ノズル構成体３０に再吐出壁３８を一体成形したから、容器１の部品点数を削減できるし、組付工数も削減し、コスト低減できる。
【００３２】
▲２▼再吐出壁３８を剤回収部３５から吐出方向に向けて垂直以上に拡開（垂直壁も含む）したから、容器１の傾け角を大きくしなくても、残液を再吐出し易くできる。
【００３３】
▲３▼外ノズル３２や内ノズル３４の周辺に付着した残液や、計量キャップ５０に残った残液を再吐出壁３８の内部の剤回収部３５に確実に回収することで、残液（剤Ａ、Ｂの混合液）が外容器１０や内容器２０の中の内容剤（剤Ａ、Ｂの単体）に混入することを回避し、それらの内容剤の化学的変質、視覚的変化による価値低下を防止できる。
【００３４】
▲４▼計量キャップ５０の取外し時に、計量キャップ５０が螺着しているノズル構成体３０の再吐出壁３８が共回りによって外れる異常時には、ノズル構成体３０と一体になって外ノズル３２と内ノズル３４も外れる。従って、使用者は容器１から外ノズル３２と内ノズル３４がなくなった異常に直ちに気付き、注ぎ出しミスを招かない。
【００３５】
▲５▼容器１の詰め替え時には、計量キャップ５０をノズル構成体３０から取外し、更にノズル構成体３０を外容器１０から取外せば、ノズル構成体３０の取り外しの操作により外ノズル３２、内ノズル３４、再吐出壁３８を一緒に取外すことができる。従って、外容器１０に直ちに剤Ａを詰め替えできるし、内容器２０をノズル構成体３０から取外して直ちに内容器２０に剤Ｂを詰め替えできる。
【００３６】
（請求項２に対応する作用）
▲６▼ノズル構成体３０に外ノズル３２と内ノズル３４と再吐出壁３８を一体成形したから、容器１の部品点数を一層削減できるし、組付工数も削減し、コスト低減できる。
【００３７】
（請求項３に対応する作用）
▲７▼内容器２０をノズル構成体３０に結合させたから、内容器２０が結合される専用の結合部材を設ける必要がなく、容器１の部品点数を一層削減できるし、組付工数も削減し、コスト低減できる。
【００３８】
（請求項４に対応する作用）
▲８▼２剤吐出容器１において、上述▲１▼〜▲７▼を実現できる。
【００３９】
（第２実施形態）（図２）
第１実施形態は、外容器１０と内容器２０をノズル構成体３０に直接的に結合させた。第２実施形態が第１実施形態と異なる点は、外容器１０及び内容器２０とノズル構成体３０との間に結合部材４０を介在させたことにある。
【００４０】
結合部材４０は、打込み筒部４０Ａ、外側筒部４０Ｂ、つなぎ部４０Ｃ、内側筒部４０Ｄを有する。
【００４１】
結合部材４０は、打込み筒部４０Ａに外容器１０の開口部の外周に設けた打込み部１１に打込み嵌合させる結合部４１を備える。結合部材４０は、打込み筒部４０Ａと外側筒部４０Ｂで外容器１０の開口部の内外面を挟み込み、打込み筒部４０Ａと外側筒部４０Ｂを外容器１０の開口部に封着し、上述の結合部４１により外容器１０に結合される。
【００４２】
結合部材４０は、外側筒部４０Ｂの上端面にノズル構成体３０を封止状態で載せ置き可能とするとともに、ノズル構成体３０を螺着するためのねじ部４２を外側筒部４０Ｂの上端寄り外周に備える。尚、ノズル構成体３０の打込み筒部３０Ａは、第１実施形態の結合部３１に代え、結合部材４０のねじ部４２とねじ込み嵌合するねじ部３１Ａを備える。
【００４３】
結合部材４０は、つなぎ部４０Ｃに、外容器１０の剤Ａを外吐出口３２Ａに排出させる複数の孔状の剤通路４３を備える。
【００４４】
結合部材４０は、内側筒部４０Ｄの内周下端側に内容器２０の打込み部２１を打込み嵌合するための結合部４４と、内容器２０の容器本体部２０Ａの開口に封着状態で嵌合するシール部４５を備える。
【００４５】
結合部材４０は、内側筒部４０Ｄの上端内周に、ノズル構成体３０の内ノズル筒部３０Ｅのシール部３３Ａを封着状態で嵌合可能とする。
【００４６】
従って、第２実施形態の容器１は以下の如くに組立てられる。
（１）内容器２０とノズル構成体３０と結合部材４０の組立体を作成する。ノズル構成体３０のねじ部３１Ａを結合部材４０のねじ部４２に螺着し、ノズル構成体３０の打込み筒部３０Ａと外側筒部３０Ｂを封着状態で結合部材４０の外側筒部４０Ｂに挟み込み固定化する。このとき、ノズル構成体３０の内ノズル筒部３０Ｅのシール部３３Ａが結合部材４０の内側筒部４０Ｄに封着される。また、結合部材４０の内側筒部４０Ｄの結合部４４に内容器２０の容器本体部２０Ａが封着状態で打込み固定される。
【００４７】
（２）上述（１）の内容器２０に剤Ｂを充填する。
（３）上述（１）、（２）のノズル構成体３０のねじ部３９に計量キャップ５０を螺着し、ノズル構成体３０の外吐出口３２Ａ、内吐出口３４Ａを封止する。
【００４８】
（４）外容器１０に剤Ａを充填する。
（５）外容器１０の開口部に上述（１）〜（３）の結合部材４０の打込み筒部４０Ａと外側筒部４０Ｂを封着し、打込み筒部４０Ａの結合部４１を外容器１０の打込み部１１に挟み込み嵌合を伴なう状態で打込み嵌合する。
【００４９】
第２実施形態の容器１は第１実施形態の容器１と同様に使用される。
本実施形態によれば以下の作用がある。
▲１▼ノズル構成体３０に再吐出壁３８を一体成形したから、容器１の部品点数を削減できるし、組付工数も削減し、コスト低減できる。
【００５０】
▲２▼再吐出壁３８を剤回収部３５から吐出方向に向けて垂直以上に拡開（垂直壁も含む）したから、容器１の傾け角を大きくしなくても、残液を再吐出し易くできる。
【００５１】
▲３▼外ノズル３２や内ノズル３４の周辺に付着した残液や、計量キャップ５０に残った残液を再吐出壁３８の内部の剤回収部３５に確実に回収することで、残液（剤Ａ、Ｂの混合液）が外容器１０や内容器２０の中の内容剤（剤Ａ、Ｂの単体）に混入することを回避し、それらの内容剤の化学的変質、視覚的変化による価値低下を防止できる。
【００５２】
▲４▼計量キャップ５０の取外し時に、計量キャップ５０が螺着しているノズル構成体３０の再吐出壁３８が共回りによって外れる異常時には、ノズル構成体３０と一体になって外ノズル３２と内ノズル３４も外れる。従って、使用者は容器１から外ノズル３２と内ノズル３４がなくなった異常に直ちに気付き、注ぎ出しミスを招かない。
【００５３】
▲５▼容器１の詰め替え時には、計量キャップ５０をノズル構成体３０から取外し、更にノズル構成体３０を結合部材４０とともに外容器１０から取外せば、ノズル構成体３０の取り外しの操作により外ノズル３２と内ノズル３４も一緒に取外される。従って、外容器１０に直ちに剤Ａを詰め替えできるし、内容器２０をノズル構成体３０から取外して直ちに内容器２０に剤Ｂを詰め替えできる。
【００５４】
▲６▼ノズル構成体３０に外ノズル３２と内ノズル３４と再吐出壁３８を一体成形したから、容器１の部品点数を一層削減できるし、組付工数も削減し、コスト低減できる。
▲７▼２剤吐出容器１において、上述▲１▼〜▲６▼を実現できる。
【００５５】
【発明の効果】
以上のように本発明によれば、剤を回収して再吐出させることのできる容器において、部品点数を削減するとともに、再吐出性を向上することができる。
【図面の簡単な説明】
【図１】図１は第１実施形態の容器を示す要部断面図である。
【図２】図２は第２実施形態の容器を示す要部断面図である。
【符号の説明】
１　容器
１０　外容器
２０　内容器
３０　ノズル構成体
３２　外ノズル
３４　内ノズル
３８　再吐出壁
【図１】
2004035042.tif 000003
【図２】
2004035042.tif 000004